(57)【要約】【課題】  地球温暖化防止が叫ばれ、屋上緑化が進んでいる今日、日本家屋のような傾斜のある屋根の緑化対策に対応する屋根の問題を解決する屋根板を提供する。【解決手段】  金属板の継手部分の接続端を延長して、外側屋根上に突出させ、この突出部を折曲して逆台形を形成し、この部分をプランターと見立てて植生をする。屋根板と一体加工のため工場生産が可能で、しかも施工が容易であり、緑の環境と景観の調和もよく日本家屋の屋根の緑化に適している。【選択図】  図１
2010112112.tif 000002
【特許請求の範囲】
【請求項１】
屋根板（１）の下端に下側接続部（２）を形成し、該接続部（２）の折曲端を延長して外方に向けて折曲し、プランターＡの底面（６）を形成し、更に上方に向けてプランターＡの外側壁とすること、
一方屋根板（１）の上端に上方接続部（３）を形成し、該接続部（３）の折曲端を延長して固定部（５）を形成したことを特徴としたプランター付き緑化屋根板。
【請求項２】
屋根板（１）の中央に平坦部（１０）を設け、該平坦部（１０）の下方を延長して下向きに折曲してプランターＡの内側壁（１４）とし、この内側壁（１４）の下部に下接続部（２）を形成し、更に板端を延長して傾斜面（１５）及び底面（１７）を形成して板端を上向きに折曲してプランターＡの外側壁（８）を形成する、
一方前記平坦部（１０）の上方に傾斜面（１６）を形成し、この先方に上接続部（３）を形成し、更に延長して板端を屋根固定部（５）としたことを特徴としたプランター付き緑化屋根板。
【請求項３】
プランターＡの底部に水抜き穴（７）を設けた請求項１，２に記載のプランター付き緑化屋根板。
【発明の詳細な説明】
【技術分野】
【０００１】
本発明は、日本家屋の屋根上に緑を植生するためのプランター付きの緑化屋根板に関する。  
【背景技術】
【０００２】
地球温暖化防止対策として、屋上の緑化が叫ばれている。特に高層ビル等では屋上緑化が半ば義務化されるばかりの傾向にある。したがって、これに伴って素材の開発や構成についても数多くの研究がなされている。
しかし、日本家屋の屋根上の緑化については仲々実施化が進んでいない。これはビルの屋上と違って日本家屋の場合は屋根が平面でないことに起因することもあると考えられる。
【特許文献１】特開２００５−１６０４９号公報
【特許文献２】特開２００５−４８５４５号公報
【発明の開示】
【発明が解決しようとする課題】
【０００３】
このため傾斜のある日本家屋の屋根に、いかにして水平部分を形成するか種々の発明がなされているが、その殆どは階段状に構成して水平部分を形成するものであって、構造が複雑となり実用化に適していない結果となっている。またこの発明の中には特許文献１に示すようにプランター自体を屋根上に載置する発明も現れている。
【課題を解決するための手段】
【０００４】
発明者は、この点に鑑み鋭意研究を続けた結果本発明に到達したものであって、本発明は図１に示すように一枚の屋根板（１）の下部に接続部（２）を形成し、この先端を外方に突出させて、さらに上方に折曲してプランターＡ部を成形する。この一方屋根板（１）の上方に接続部（３）を形成する共に更にその先を延長して下板との固定部分を形成する。
そして、この屋根板（１）に突出して成形されたプランター部Ａに植生用の床材Ｂを配置して植生をする。
【０００５】
また、図３は別な形状のプランターＡ付きの屋根板（１）を示す。この屋根板（１）は屋根勾配の比較的緩い一般住宅用に適していて、特に顕著に優れている点は、屋根板（１）に屋根勾配に合わせた傾斜部（１５），（１６）とプランターＡ内の植生物の管理ができるような歩行可能な平坦部（１０）を成形した点で、補強材Ｐとして硬質発泡樹脂などの成形体を挿入することができる。
【発明の効果】
【０００６】
本発明のプランター付き屋根板は、前述のように、屋根板にプランターＡを一体に加工成形することによって従来の日本家屋の屋根の緑化に比較して構造が簡単で容易に組立が可能となり、工場生産が可能であり、ユニット住宅はもとより一般住宅の屋根にも施工ができ、屋根全体の緑化も、また、屋根板を組合せることによって部分的な緑化もできるため、周囲の環境に応じた施工ができるため景観を考えながらの緑化が可能で、街の美化と共に地球温暖化防止に貢献できる効果はきわめて顕著である。
【実施例】
【０００７】
添付図面により本発明のプランター付き屋根板を説明すると、図１は屋根板（１）の横断面図であって、屋根板としては、亜鉛メッキ鉄板とかアルミ板、ステンレス板等の一般の金属板を加工して使用する。この屋根板（１）には上下に接続用の小はぜ継手部（２），（３）を設ける。そして本発明は図示するように下方の接続部（２）の先端を外方に派出延長して突出させて、この端部を上方に折曲して側壁（８）形成してプランターＡを形成する。
【０００８】
このようにして形成されたプランターＡは、図示するように屋根板（１）の傾斜面と、板端の上方に向けて折曲した側壁（８）によって逆台形状に形成されるため、この凹部に植生用の床材Ｂを配付して育生緑化を図る。そして、このプランターＡを形成する底面に水抜き用の穴（７）を設けることができる。図示していないが、このプランターＡの両側、即ち屋根板（１）の長手方向の側面に壁板を設けることとする。
【０００９】
図２は、勾配の急な屋根に施工した実施例であって、プランター付きの屋根板（１）は、そのまま連続して使用が可能であり、また図３は一般住宅に見られる勾配の緩い屋根に使用する屋根板（１）の断面図を示している。
【００１０】
この屋根板は屋根板（１）の中央に施工したときに水平面になるようにした平坦部（１０）を設け、この下方を延長し、段部（１４）を折曲して接続部（２）を折曲して形成し、さらにこの延長部分を傾斜面（１５）、底面（１７）を折曲して最終端を上方に立折（８）し、この折曲によって形成される凹部をプランターＡとし、このプランター部Ａに植生用の床材Ｂを配置して植生をする。
また前記屋根板（１）中央の平坦部（１０）の上方延長部に傾斜面（１６）および接続部（３）を折曲形成し、さらにこの上方に野地板（２０）との固定部（５）を設けて緑化屋根板を形成する。したがって図３に示す緑化屋根板は比較的勾配の緩い日本家屋の屋根への施工に適している。
【００１１】
そして、図３に示す屋根板（１）に設ける前後の傾斜面（１３），（１６）の傾斜角を変えて加工成形することでいかなる流れ勾配の屋根の緑化工事が可能となるばかりか、図４の施工例に図示するように、施工に際して、平坦面（１０）と野地板（２０）とによって形成される空隙に硬質発泡樹脂等による三角形の補強材Ｐを介入することによって、上面の歩行が可能となって、プランターＡの管理が出来る。
【産業上の利用可能性】
【００１２】
上述のように本発明のプランター付き屋根板は日本家屋の屋根の緑化に適していて、屋根板の構造が簡単で工場生産が可能なため普及度合はきわめて大であり地球温暖化の防止に貢献すること大である。
【図面の簡単な説明】
【００１３】
【図１】プランター付き緑化屋根板の断面図
【図２】実施例図
【図３】プランター付き緑化屋根板の別の断面図
【図４】施工の実施例図
【符号の説明】
【００１４】
１  屋根板  
２  下接続部
３  上接続部  
５  固着部
６  底面
７  水抜き孔
８  プランターの外側壁
１０  平坦部
１４  プランター内側面
１５  下方傾斜面
１６  上方傾斜面
１７  底面
２０  野地板
Ａ  プランター
Ｂ  植生床
Ｐ  補強体
【図１】
2010112112.tif 000003
【図２】
2010112112.tif 000004
【図３】
2010112112.tif 000005
【図４】
2010112112.tif 000006